(57)【特許請求の範囲】
【請求項１】
複数の患者に処方する医薬品を予め設定された配薬グループ単位で同一服用時期ごとに分包することを指示する分包データを、入力された前記複数の患者の処方データに基づいて出力する分包データ出力手段と、
一連の包装材料で形成される複数の薬包に医薬品を分包する薬品分包装置と、
備え、
前記分包データ出力手段は、前記薬品分包装置に前記分包データを出力するものであり、
前記分包データは、前記複数の患者に処方する医薬品を前記配薬グループ単位で同一服用時期ごとに連続して前記薬包各々に分包させるものであって、処方された医薬品が存在しない患者に対応する空の前記薬包を分包に含めると共に、当該空の薬包に処方する医薬品がない旨を記載することを指示するものである配薬管理システム。
【請求項２】
複数の患者に処方する医薬品を予め設定された配薬グループ単位で同一服用時期ごとに分包することを指示する分包データを、入力された前記複数の患者の処方データに基づいて出力する分包データ出力手段と、
ブリスターパックに設けられた複数の包装部に医薬品を分包する薬品分包装置と、
備え、
前記分包データ出力手段は、前記薬品分包装置に前記分包データを出力するものであり、
前記分包データは、前記複数の患者に処方する医薬品を前記配薬グループ単位で同一服用時期ごとに一つの前記ブリスターパックに分包させるものであって、処方された医薬品が存在しない患者に対応する空の前記包装部を分包に含めると共に、当該空の包装部に処方する医薬品がない旨を記載することを指示するものである配薬管理システム。
【請求項３】
前記分包データは、時系列順で各服用時期に対応する分包を実行し、前記各服用時期に対応する分包として前記配薬グループに属する前記患者各々の医薬品を個別に分包することを指示するものである請求項１又は２に記載の配薬管理システム。
【請求項４】
前記分包データは、前記配薬グループ単位で、前記配薬グループに属する前記患者各々の前記処方データに含まれる医薬品のデータが服用時期ごとに並び替えられたデータである請求項１〜３のいずれかに記載の配薬管理システム。
【請求項５】
複数の患者に処方する医薬品を予め設定された配薬グループ単位で同一服用時期ごとに分包することを指示する分包データを、入力された前記複数の患者の処方データに基づいて出力する分包データ出力手段を備え、
前記分包データは、
時系列順で各服用時期に対応する分包を実行し、前記各服用時期に対応する分包として前記配薬グループに属する前記患者各々の医薬品を個別に分包することを指示するものであり、
前記配薬グループ単位で、前記配薬グループに属する前記患者各々の前記処方データに含まれる医薬品のデータが、同一服用時期ごとに複数の前記患者の医薬品が分包されるように並び替えられたデータである配薬管理システム。
【請求項６】
医薬品を分包する薬品分包装置を更に備えてなり、
前記分包データ出力手段は、前記薬品分包装置に前記分包データを出力するものである請求項５に記載の配薬管理システム。
【請求項７】
前記患者各々が属する前記配薬グループを任意に設定するグループ設定手段を備えてなる請求項１〜６のいずれかに記載の配薬管理システム。
【請求項８】
前記処方データが１日分又は複数日分の医薬品の処方に関するものであり、
前記分包データ出力手段は、前記処方データを服用時期ごとの服用単位データに分解し、前記服用単位データを当該服用データに対応する前記患者が属する前記配薬グループごとに結合した前記分包データを生成するデータ生成手段を含んでなる請求項１〜７のいずれかに記載の配薬管理システム。
【請求項９】
コンピュータにより、
複数の患者に処方する医薬品を予め設定された配薬グループ単位で同一服用時期ごとに分包することを指示する分包データを、入力された前記複数の患者の処方データに基づいて出力する分包データ出力工程を実行することを特徴とする配薬管理方法であって、
前記分包データ出力工程では、一連の包装材料で形成される複数の薬包に医薬品を分包する薬品分包装置に前記分包データが出力され、
前記分包データは、前記複数の患者に処方する医薬品を前記配薬グループ単位で同一服用時期ごとに連続して前記薬包各々に分包させるものであって、処方された医薬品が存在しない患者に対応する空の前記薬包を分包に含めると共に、当該空の薬包に処方する医薬品がない旨を記載することを指示するものである配薬管理方法。
【請求項１０】
コンピュータにより、
複数の患者に処方する医薬品を予め設定された配薬グループ単位で同一服用時期ごとに分包することを指示する分包データを、入力された前記複数の患者の処方データに基づいて出力する分包データ出力工程を実行することを特徴とする配薬管理方法であって、
前記分包データ出力工程では、ブリスターパックに設けられた複数の包装部に医薬品を分包する薬品分包装置に前記分包データが出力され、
前記分包データは、前記複数の患者に処方する医薬品を前記配薬グループ単位で同一服用時期ごとに一つの前記ブリスターパックに分包させるものであって、処方された医薬品が存在しない患者に対応する空の前記包装部を分包に含めると共に、当該空の包装部に処方する医薬品がない旨を記載することを指示するものである配薬管理方法。
【請求項１１】
コンピュータにより、
複数の患者に処方する医薬品を予め設定された配薬グループ単位で同一服用時期ごとに分包することを指示する分包データを、入力された前記複数の患者の処方データに基づいて出力する分包データ出力工程を実行することを特徴とする配薬管理方法であって、
前記分包データは、
時系列順で各服用時期に対応する分包を実行し、前記各服用時期に対応する分包として前記配薬グループに属する前記患者各々の医薬品を個別に分包することを指示するものであり、
前記配薬グループ単位で、前記配薬グループに属する前記患者各々の前記処方データに含まれる医薬品のデータが、同一服用時期ごとに複数の前記患者の医薬品が分包されるように並び替えられたデータである配薬管理方法。
【請求項１２】
コンピュータを請求項１〜８のいずれかに記載の配薬管理システムの各手段として機能させるための配薬管理プログラム。
【請求項１３】
請求項１２に記載の配薬管理プログラムを記録したコンピュータ読み取り可能な記録媒体。
【発明の詳細な説明】
【技術分野】
【０００１】
本発明は、病院及び介護老人保健施設などにおける看護師等の配薬作業の負担を軽減する配薬管理システムに関するものである。
【背景技術】
【０００２】
一般に、医師は診察時の患者の容体に応じて複数日分の医薬品を処方する。そして、患者は、その医薬品を朝、昼、夕、眠前などの服用時期ごとに服用する。一方、病院及び介護老人保健施設（老健施設）に入院している患者の医薬品は看護師等によって管理されることがある。例えば、看護師等は、患者に処方された複数日分の医薬品を保管し、その医薬品を処方時期ごとに患者に配薬する。
このような配薬作業における看護師等の負担を軽減するための技術として、例えば特許文献１には、１日又は服用時期ごとに医薬品を分包するための与薬管理システムが開示されている。これにより、看護師等は１日又は服用時期ごとに分包された医薬品を配薬すればよいため、複数の患者の医薬品を管理する手間が軽減される。
また、特許文献２には、一括処理対象となっているデータが一括処理用分包データファイルとして登録され、そのデータが診療科と病棟とを検索キーにして取得されて分包データとして処理されることが記載されている。
【先行技術文献】
【特許文献】
【０００３】
【特許文献１】特開２０１０−５３７８号公報
【特許文献２】特開２００１−８７３５２号公報
【発明の概要】
【発明が解決しようとする課題】
【０００４】
しかしながら、病院及び老健施設などでは各病室に複数の患者が入院しているため、看護師等は、病院及び老健施設などに入院している患者各々に処方する医薬品を病室ごとに間違いのないよう選別して配薬する必要があり、その手間及びミスを危惧しながらの作業が看護師等にかける負担は大きなものである。これに対し、前記特許文献１及び前記特許文献２に開示された技術は、複数の患者の医薬品を同一服用時期ごとに分包するものではないため、このような課題を解決することはできない。
従って、本発明は上記事情に鑑みてなされたものであり、その目的とするところは、複数の患者が属する病室などの配薬グループ各々に服用時期ごとに医薬品を配薬する看護師等の配薬作業の負担を軽減すると共にその配薬作業におけるミスを防止することのできる配薬管理システムを提供することにある。
【課題を解決するための手段】
【０００５】
上記目的を達成するために本発明は、複数の患者に処方する医薬品を予め設定された配薬グループ単位で同一服用時期ごとに分包することを指示する分包データを、入力された前記複数の患者の処方データに基づいて出力する分包データ出力手段を備えてなる配薬管理システムとして構成される。
これにより、薬品を分包する薬品分包装置に前記分包データが入力されると、前記薬品分包装置では、複数の患者に処方する医薬品が前記分包データに従って前記配薬グループ単位で同一服用時期ごとに分包されることになる。
本発明によれば、看護師等は、前記配薬グループ単位で同一服用時期ごとに分包された患者各々の医薬品をそのまま配薬することができ、前記配薬グループ各々に属する患者の医薬品を選別する作業を省略することができる。従って、病院及び老健施設などにおける看護師等の配薬作業の負担が軽減され、その配薬作業におけるミスも防止される。
例えば、病院及び老健施設などで同じ病室に入院している複数の患者を同じ前記配薬グループとして設定しておくことが考えられる。これにより、看護師等は、前記分包データに従って前記配薬グループ単位で同一服用時期ごとに分包された医薬品をそのまま病室ごとに配薬することができる。
【０００６】
ここで、前記配薬管理システムは、前記患者各々が属する前記配薬グループを任意に設定するグループ設定手段を備えてなることが考えられる。これにより、ユーザーは任意に前記配薬グループを設定して、病院及び老健施設ごとに適した医薬品の分包内容を定めることができる。なお、前記配薬グループとしては、病室、病棟、診療科、食事場所などが考えられる。
【０００７】
ところで、一般に、医師等が電子カルテ装置などに入力する前記処方データは１日分又は複数日分の医薬品の処方に関するものである。そこで、前記分包データ出力手段は、前記処方データを服用時期ごとに分解して前記分包データを生成するデータ生成手段を含んでなることが考えられる。これにより、電子カルテシステム及び調剤管理システムなどの上位システムから前記処方データが１日分又は複数日分の医薬品の処方に関するものである場合に、その処方データに基づいて前記分包データを生成して出力することができる。なお、前記データ生成手段は、例えば前記処方データ各々を服用時期ごとに分解した後、前記配薬グループ単位で結合することにより前記分包データを生成するものである。また、前記データ生成手段は、前記処方データ各々を前記配薬グループ単位で結合した後、服用時期ごとに分解することにより前記分包データを生成するものであってもよい。
【０００８】
さらに、前記配薬管理システムが、医薬品を分包する薬品分包装置を備える構成が考えられる。この場合、前記分包データ出力手段は、前記薬品分包装置に前記分包データを出力するものであることが考えられる。これにより、前記配薬管理システムにおいて、前記薬品分包装置で複数の患者に処方する医薬品を前記配薬グループ単位で同一服用時期ごとに分包することができる。
【０００９】
ここで、前記薬品分包装置は、一連の包装材料で形成される複数の薬包に医薬品を分包するものであることが考えられる。この場合、前記分包データは、前記複数の患者に処方する医薬品を前記配薬グループ単位で同一服用時期ごとに連続して前記薬包各々に分包させるものである。即ち、前記薬品分包装置では、同じ前記配薬グループに属する複数の患者の同一服用時期の医薬品が一連の前記薬包に連続して分包されることになる。これにより、看護師等は、服用時期ごとにおける前記配薬グループ各々への配薬に、一連の前記薬包各々をそのまま用いることができる。
【００１０】
ところで、複数の患者の医薬品が一連の前記薬包に連続して分包されると、前記薬包各々に分包された医薬品の適否の鑑査の手間が増えるおそれがある。そこで、前記配薬管理システムは、前記薬品分包装置により医薬品が分包された後の前記薬包の画像を撮影する撮影手段と、前記撮影手段により撮影された前記薬包各々の画像を患者単位で結合した鑑査用画像を生成する画像生成手段と、前記鑑査用画像を表示する画像表示手段とを更に備えてなることが望ましい。これにより、複数の患者の医薬品が前記配薬グループ単位で処方時期ごとに分包された場合でも、その分包された医薬品の照合を鑑査者が容易に行うことができる。
【００１１】
特に、前記画像生成手段は、前記撮影手段により撮影された前記薬包各々の画像を患者単位で同一処方内容ごとに結合した前記鑑査用画像を生成するものであることが考えられる。これにより、同一内容の医薬品についての適否の判断を連続して行うことができるため、鑑査者による鑑査作業の手間をより軽減することができる。
【００１２】
一方、前記薬品分包装置は、ブリスターパックに設けられた複数の包装部に医薬品を分包するものであることが考えられる。この場合、前記分包データは、前記複数の患者に処方する医薬品を前記配薬グループ単位で同一服用時期ごとに一つの前記ブリスターパックに分包させるものである。即ち、前記薬品分包装置では、同じ前記配薬グループに属する複数の患者の同一服用時期の医薬品が一つの前記ブリスターパックに一纏めにして分包されることになる。これにより、看護師等は、服用時期ごとにおける前記配薬グループ各々への配薬に、前記ブリスターパック各々をそのまま用いることができる。
【００１３】
さらに、前記分包データは、処方された医薬品が存在しない患者に対応する空の前記薬包又は前記包装部を分包に含めると共に、当該空の薬包又は当該空の包装部に処方する医薬品がない旨を記載することを指示するものであることが望ましい。これにより、看護師等は、患者への配薬が不要であることを前記薬包又は前記包装部を参照することにより明確に認識することができ、医薬品の紛失や分包ミスではないことが明確となる。
【００１４】
ところで、本発明は、コンピュータにより複数の患者に処方する医薬品を予め設定された配薬グループ単位で同一服用時期ごとに分包することを指示する分包データを、入力された前記複数の患者の処方データに基づいて出力する分包データ出力工程を実行することを特徴とする配薬管理方法として捉えてもよい。また、コンピュータを前記配薬管理システムの各手段として機能させるための配薬管理プログラムとして捉えてよい。さらに、前記配薬管理プログラムを記録したコンピュータ読み取り可能な記録媒体として捉えてもよい。
【発明の効果】
【００１５】
本発明によれば、複数の患者が属する病室などの配薬グループ各々に服用時期ごとに医薬品を配薬する看護師等の配薬作業の負担を軽減すると共にその配薬作業におけるミスを防止することができる。
【図面の簡単な説明】
【００１６】
【図１】本発明の実施の形態に係る配薬管理システム１の概略構成を示す模式図。
【図２】患者マスター編集画面３７Ａの表示例を示す図。
【図３】本発明の実施の形態に係る薬品分包装置４０の概略構成を示す模式図。
【図４】薬品分包装置４０で得られる薬包連続体７２の一例を示す模式図。
【図５】本発明の実施の形態に係る画像鑑査装置５０の概略構成を示す模式図。
【図６】本発明の実施の形態に係る配薬管理装置３０で実行される配薬管理処理の手順の一例を示すフローチャート。
【図７】配薬管理処理で生成されるグループ処方データの一例を示す図。
【図８】配薬管理処理で生成される分包データの一例を示す図。
【図９】本発明の実施の形態に係る薬品分包装置４０で実行される薬品分包処理の手順の一例を示すフローチャート
【図１０】薬品分包装置４０で得られる薬包連続体７２の一例を示す模式図。
【図１１】本発明の実施の形態に係る薬品分包装置４０で実行される薬品分包処理の手順の一例を示すフローチャート
【図１２】薬品分包処理で生成される鑑査用画像７４の一例を示す図。
【図１３】薬品分包装置４０で得られるブリスターパック７５の一例を示す模式図。
【発明を実施するための形態】
【００１７】
以下添付図面を参照しながら、本発明の実施の形態について説明し、本発明の理解に供する。なお、以下の実施の形態は、本発明を具体化した一例であって、本発明の技術的範囲を限定する性格のものではない。
【００１８】
［配薬管理システム１］
図１に示すように、本発明の実施の形態に係る配薬管理システム１は、サーバ装置１０、電子カルテ装置２０、配薬管理装置３０、薬品分包装置４０、及び画像鑑査装置５０などを備えている。前記サーバ装置１０、前記電子カルテ装置２０、前記配薬管理装置３０、前記薬品分包装置４０、及び前記画像鑑査装置５０は、ＬＡＮ又はインターネット等の通信ネットワーク６０で通信可能に接続されている。
なお、前記配薬管理システム１は、バックアップのために複数の前記サーバ装置１０を備えるものであってもよい。また、前記配薬管理装置３０が前記サーバ装置１０及び前記電子カルテ装置２０などの機能を兼ねたものであってもよい。さらに、前記配薬管理装置３０が前記薬品分包装置４０及び前記画像鑑査装置５０と一体構成されたものであってもよい。また、前記配薬管理装置３０単体を本発明に係る配薬管理システムとして捉えてもよい。
【００１９】
［サーバ装置１０］
前記サーバ装置１０は、患者各々の診療に関する情報が記録された電子カルテを蓄積して記憶するハードディスク又はフラッシュメモリなどの不揮発性の記憶装置を備えている。具体的に、前記サーバ装置１０は、前記電子カルテ装置２０で登録された電子カルテを蓄積して記憶する。なお、１回（又は１日）の診療に関する電子カルテのデータには、患者に処方する医薬品に関する処方データ等が含まれる。
【００２０】
［電子カルテ装置２０］
前記電子カルテ装置２０は、電子カルテプログラムに従って各種の処理を実行することにより、医師、看護師等のユーザーの操作入力に応じて前記サーバ装置１０に記録された電子カルテを表示又は編集するコンピュータである。例えば、医師は、前記電子カルテ装置２０を用いて、患者に処方する医薬品に関する処方データを前記電子カルテに登録する。これにより、前記処方データは、前記電子カルテ装置２０から前記配薬管理装置３０に送信される。なお、前記処方データは、前記配薬管理装置３０によって前記サーバ装置１０から読み出されるものであってもよい。また、前記処方データは、必要に応じて前記薬品分包装置４０又は前記画像鑑査装置５０にも送信される。
【００２１】
［配薬管理装置３０］
前記配薬管理装置３０は、ＣＰＵ３１、ＲＯＭ３２、ＲＡＭ３３、データ記憶部３４、通信インターフェース３５、操作入力装置３６及び表示装置３７などを備えたコンピュータである。なお、前記配薬管理装置３０は、説明の便宜上「配薬管理装置」と称するが、従来から病院又は薬局に導入されている調剤システムを具現するコンピュータに後述の配薬管理プログラムをインストールしたものであってもよい。即ち、従来の調剤システムに対して前記配薬管理装置３０を新たに導入する必要はない。前記配薬管理装置３０に設けられた各構成要素はバス３８によって接続されている。前記通信インターフェース３５は、前記通信ネットワーク６０を介して前記サーバ装置１０、前記電子カルテ装置２０、前記薬品分包装置４０、及び前記画像鑑査装置５０等との間でデータ通信を行う通信モデムなどを有する。
【００２２】
前記ＣＰＵ３１は、各種の制御プログラムに従って各種の演算処理を実行するプロセッサーである。前記ＲＯＭ３２は、前記ＣＰＵ３１により実行されるＢＩＯＳ等のプログラムが予め記憶された不揮発性メモリである。前記ＲＡＭ３３は、前記ＣＰＵ３１による各種の制御プログラムの展開及びデータの一時記憶に用いられる揮発性メモリ又は不揮発性メモリである。
【００２３】
前記データ記憶部３４は、前記ＣＰＵ３１によって実行される各種のアプリケーションプログラム及び各種のデータが記憶されたハードディスク等である。
具体的に、前記データ記憶部３４には、前記ＣＰＵ３１に後述の配薬管理処理（図６参照）などの各処理手順を実行させる配薬管理プログラムが記憶されている。例えば、前記配薬管理プログラムはＣ言語（Microsoft社のC/C++及びVisual C/C++（登録商標）など）で記述されたものである。この配薬管理プログラムも本発明に該当する。また、前記配薬管理プログラムは、例えばＣＤ、ＤＶＤ、ＢＤ、フラッシュメモリなどの記録媒体からインストールされるものである。ここに、前記配薬管理プログラムを記録したコンピュータ読み取り可能なＣＤ、ＤＶＤ、ＢＤ、フラッシュメモリなどの記録媒体も本発明に該当する。なお、前記配薬管理プログラムがインストールされた前記データ記憶部３４も本発明に係る記録媒体に該当する。ところで、本発明は、前記配薬管理装置３０の各機能を実現するために該配薬管理装置３０で各処理工程を実行する配薬管理方法の発明として捉えることもできる。
【００２４】
また、前記データ記憶部３４には、例えば医薬品マスター及び患者マスター等の各種データベースが記憶されている。前記医薬品マスターには、薬品コード、薬品名、ＪＡＮコード（又はＲＳＳ）、薬瓶コード、区分（剤形：散薬、錠剤、水剤、外用薬など）、比重、薬品種（普通薬、毒薬、麻薬、劇薬、抗精神薬、治療薬など）、配合変化、賦形薬品、注意事項などの情報が含まれる。前記患者マスターには、患者各々の患者ＩＤ、氏名、性別、年齢、既往歴、家族情報、診療科、病棟、及び病室などの情報が含まれる。これらの各種データベースは、前記ＣＰＵ３１によって読み出され又は編集される。
具体的に、前記ＣＰＵ３１は、前記配薬管理プログラムに従って前記患者マスターを編集するための患者マスター編集処理を実行する。ここに、図２は、前記患者マスター編集処理において、前記ＣＰＵ３１により前記表示装置３７に表示される患者マスター編集画面３７Ａの一例を示している。前記ＣＰＵ３１は、前記患者マスター編集画面３７Ａに従った前記操作入力装置３６のユーザー操作に応じて前記患者マスターを編集する。
図２に示す前記患者マスター編集画面３７Ａでは、白抜き箇所が任意に入力可能な箇所である。具体的には、フリガナ、名前、生年月日、性別、病棟、病室、コメント一覧の各情報が任意に入力可能である。特に、病室名称欄３７２には、入力欄３７１に入力された数字に対応して予め設定された病室名が表示される。本実施の形態では、前記病室名が配薬グループの一例である。なお、前記配薬グループとしては、病室の他に、病棟、診療科、食事場所などが考えられる。また、本実施の形態において、「病室」は、病院に入院する患者の部屋又は老健施設に入居する入居者の部屋を含む概念であり、「患者」は、病院に入院する患者及び老健施設に入居する入居者を含む概念である。
そして、前記患者マスター編集画面３７Ａに表示された登録キー３７３が操作されると、前記ＣＰＵ３１は前記患者マスター編集画面３７Ａに表示された内容を前記患者マスターに登録し、当該患者マスター編集処理を終了する。ここに、係る患者マスター編集処理を実行することにより患者各々が属する病室名（配薬グループ）を任意に設定するときの前記ＣＰＵ３１がグループ設定手段に相当する。なお、前記患者マスター編集画面３７Ａに表示されたキャンセルキー３７４が操作されると、前記ＣＰＵ３１は前記患者マスター編集画面３７Ａに表示された内容を前記患者マスターに反映することなく当該患者マスター編集処理を終了する。
【００２５】
前記操作入力装置３６は、薬剤師などのユーザーが前記配薬管理装置３０への各種情報の入力に使用するユーザインターフェースである。前記表示装置３７は、各種情報を表示する表示画面を有する液晶ディスプレイ又は有機ＥＬディスプレイなどの表示装置である。
具体的に、前記操作入力装置３６は、前記表示装置３７の表示画面に従って各種情報を入力するために用いられるキーボード及びマウス（ポインティングデバイス）を有している。前記配薬管理装置３０における「操作」、「選択」、「入力」とは、医師、看護士、技師、及び事務員などのユーザーにより前記操作入力装置３６のマウス又はキーボードを用いて行われる作業を意味する。例えば、ユーザーは、前記操作入力装置３６の操作により前記配薬管理装置３０に処方データを入力することが可能である。なお、前記操作入力装置３６は、前記表示装置３７に設けられるタッチパネル、又は音声認識により各種情報の入力を受け付ける音声操作入力装置を有するものであってもよい。また、前述したように、前記配薬管理装置３０への処方データの入力は、前記電子カルテ装置２０から送信された処方データを受信すること、或いは前記サーバ装置１０から読み出すことにより行われてもよい。その他、前記配薬管理装置３０が、処方箋に記載されたバーコードやＱＲコード（登録商標）などから処方データを読み取るバーコードリーダーを備える構成であってもよい。
【００２６】
［薬品分包装置４０］
次に、図１及び図３を参照しつつ、前記薬品分包装置４０について説明する。図１及び図３に示すように、前記薬品分包装置４０は、制御部４１、医薬品収容部４２、及び分包ユニット４３などを備えている。前記薬品分包装置４０は、前記配薬管理装置３０から出力される分包データに従って、患者に処方する医薬品を分包するものである。
【００２７】
前記制御部４１は、ＣＰＵ、ＲＯＭ、ＲＡＭ（ＥＥＰＲＯＭ等）などを備え、前記薬品分包装置４０を統括的に制御するコンピュータである。前記ＣＰＵは、各種のプログラムに従って各種の演算処理を実行するプロセッサーである。前記ＲＯＭは、前記ＣＰＵにより実行される薬品分包プログラムなどの各種のプログラムが予め記憶された不揮発性メモリである。前記ＲＡＭは、前記ＣＰＵによる各種のプログラムの展開及び各種の演算処理におけるデータの一時記憶に用いられる揮発性メモリ又は不揮発性メモリである。具体的に、前記制御部４１は、前記薬品分包プログラムに従って後述の薬品分包処理（図９参照）を実行する。
【００２８】
前記医薬品収容部４２は、患者に処方する医薬品として複数種別の錠剤が収容された複数の錠剤カセット４２１を備えている。前記錠剤カセット４２１各々の医薬品は、前記錠剤カセット４２１が装着される錠剤フィーダが前記制御部４１によって処方情報等に基づいて制御されることにより払い出され前記分包ユニット４３に供給される。なお、ここでは前記薬品分包装置４０が前記錠剤カセット４２１各々から供給される錠剤を分包する錠剤分包装置である場合を例に挙げて説明するが、前記薬品分包装置４０が複数種別の散薬を順不同に分包することのできる散薬分包機であることも他の実施形態として考えられる。
【００２９】
前記分包ユニット４３は、薬包シート４３１及び封止部４３２などを備えている。前記薬包シート４３１は、透光性を有するロール状のシートであって、前記医薬品収容部４２から供給される医薬品を包装するために用いられる一連の包装材料である。前記封止部４３２は、前記薬包シート４３１により服用単位で医薬品を包装し、溶着等により封止する。これにより、前記分包ユニット４３は、図４に示すように前記薬包シート４３１により連続して形成された複数の薬包７１を有する薬包連続体７２を排出する。なお、前記薬包連続体７２には、前記薬包７１各々を容易に切り離すための切り取り点線７１Ａ（ミシン目）が形成されている。また、前記薬包７１各々は、透光性を有しているため、前記薬包７１各々の内部に収容された医薬品は外部から視認可能である。また、前記分包ユニット４３は、前記制御部４１からの制御指示に従って前記薬包７１各々に患者名及び服用時期などを記載するプリント部（不図示）なども備えている。
【００３０】
［画像鑑査装置５０］
次に、図１及び図５を参照しつつ、前記画像鑑査装置５０について説明する。ここに、図５は、前記画像鑑査装置５０の概略構成を示す図であって、（Ａ）は外観図、（Ｂ）は内部構成図である。なお、図５（Ｂ）は、前記画像鑑査装置５０の筐体５０Ａ及び導入部５０Ｂを取り外した状態を示している。
【００３１】
図１及び図５に示すように、前記画像鑑査装置５０は、制御部５１、表示部５２、及び鑑査ユニット５３などを備えている。前記画像鑑査装置５０は、前記薬品分包装置４０により前記薬包７１各々に分包された医薬品と前記処方データとを画像により照合することで当該医薬品の適否を鑑査するものである。
【００３２】
前記制御部５１は、ＣＰＵ、ＲＯＭ、ＲＡＭ（ＥＥＰＲＯＭ等）などを備え、前記画像鑑査装置５０を統括的に制御するコンピュータである。前記ＣＰＵは、各種のプログラムに従って各種の演算処理を実行するプロセッサーである。前記ＲＯＭは、前記ＣＰＵにより実行される画像鑑査プログラムなどの各種のプログラムが予め記憶された不揮発性メモリである。前記ＲＡＭは、前記ＣＰＵによる各種のプログラムの展開及び各種の演算処理におけるデータの一時記憶に用いられる揮発性メモリ又は不揮発性メモリである。具体的に、前記制御部５１は、前記画像鑑査プログラムに従って後述の画像鑑査処理（図１１参照）を実行する。
【００３３】
前記表示部５２は、前記筐体５０Ａに取り付けられた液晶ディスプレイ又は有機ＥＬディスプレイなどの表示手段である。具体的に、前記表示部５２は、前記制御部５１によって実行される画像鑑査処理において前記薬包７１各々の画像及び鑑査結果などの各種の情報を表示する。
【００３４】
図５（Ｂ）に示すように、前記鑑査ユニット５３は、搬送部５３１、撮影部５３２、照明装置５３３、供給検知部５３４、排出検知部５３５などを有している。
前記搬送部５３１は、前記画像鑑査装置５０に露出して設けられた導入部５０Ｂ（図５（Ａ）参照）に載置された前記薬包連続体７２を搬送するベルトコンベアー又はローラコンベアー等の搬送手段である。なお、前記導入部５０Ｂは、前記薬品分包装置４０における前記薬包連続体７２の排出部（不図示）に連結されており、前記薬品分包装置４０で分包された前記薬包連続体７２はそのまま前記画像鑑査装置５０の前記導入部５０Ｂに供給される。
前記撮影部５３２は、前記搬送部５３１によって搬送される前記薬包連続体７２の薬包７１各々の画像を撮影する撮影手段である。また、前記照明装置５３３は、前記撮影部５３２による撮影対象の前記薬包７１を照明する照明手段である。
前記供給検知部５３４及び前記排出検知部５３５は、前記搬送部５３１によって搬送される前記薬包連続体７２を検知する光学式センサなどであって、検知信号を前記制御部５１に入力する。前記制御部５１は、前記供給検知部５３４からの前記検知信号の入力に基づいて前記薬包連続体７２の供給が開始されたと判断した場合に後述の画像鑑査処理を開始する。また、前記制御部５１は、前記排出検知部５３５からの検知信号の入力に基づいて前記薬包連続体７２の後端が通過したと判断した場合に後述の画像鑑査処理を終了する。
なお、前記画像鑑査装置５０は、その他に、振動を生じさせる振動手段（不図示）を備えている。そして、前記制御部５１は、前記撮影部５３２で撮影された前記薬包７１内の画像において医薬品が接触している場合又は重なっていると判断した場合、前記振動手段（不図示）により前記薬包に振動を与えて医薬品が接触した状態又は重なった状態を解消する。
【００３５】
［配薬管理処理］
以下、図６のフローチャートを参照しつつ、前記配薬管理システム１において、前記配薬管理装置３０のＣＰＵ３１が前記配薬管理プログラムに従って実行する配薬管理処理の手順の一例について説明する。なお、図示するＳ１、Ｓ２、…は前記ＣＰＵ３１が実行する処理手順（ステップ）番号を示す。ここに、係る配薬管理処理を実行するときの前記ＣＰＵ３１が分包データ出力手段に相当する。
また、当該配薬管理処理は、前記配薬管理プログラムが前記薬品分包装置４０にインストールされることにより、前記薬品分包装置４０において前記制御部４１によって実行されてもよい。この場合、前記制御部４１が分包データ出力手段に相当し、前記薬品分包装置４０が配薬管理システムに相当する。
さらに、前記配薬管理プログラムが前記画像鑑査装置５０にインストールされることにより、前記画像鑑査装置５０において前記制御部５１によって当該配薬管理処理が実行され、その結果得られた分包データが前記画像鑑査装置５０から前記薬品分包装置４０に入力される構成も考えられる。この場合、前記制御部５１が分包データ出力手段に相当し、前記画像鑑査装置５０が配薬管理システムに相当する。このように、前記配薬管理プログラムは、従来の調剤システムに含まれる各種の装置にインストールされることにより、既存の設備をそのまま利用して本発明に係る配薬管理システムを構築することができるものである。
また、当該配薬管理処理において前記ＣＰＵ３１により実行される後述の分包データが出力される工程が分包データ出力工程に相当する。
【００３６】
（ステップＳ１〜Ｓ２）
まず、ステップＳ１において、前記ＣＰＵ３１は、患者への医薬品の処方に関する処方データの入力に応じて（Ｓ１のＹｅｓ側）、前記処方データを前記データ記憶部３４に記憶する（Ｓ２）。なお、前記処方データが入力されていない場合（Ｓ１のＮｏ側）、前記ＣＰＵ３１は処理をステップＳ３に移行させる。
ここで、前記処方データは、医師等のユーザーにより前記電子カルテ装置２０で入力された一人又は複数人の患者の１日分又は複数日分の医薬品の処方に関する情報である。具体的に、前記処方データには、少なくとも患者名（又は患者ＩＤ）、医薬品名（又は医薬品コード）、服用時期等の用法、処方量等の用量が含まれている。以下、単に「処方データ」と称する場合には、当該ステップＳ１で入力される処方データを指す。
例えば、前記ＣＰＵ３１は、前記操作入力装置３６のユーザー操作に応じて処方データが入力された場合に（Ｓ１のＹｅｓ側）、その処方データを前記データ記憶部３４に記憶させる（Ｓ２）。また、前記ＣＰＵ３１は、医師等のユーザーにより前記電子カルテ装置２０に前記処方データが入力された場合に前記電子カルテ装置２０から送信される前記処方データを受信して（Ｓ１のＹｅｓ側）、前記データ記憶部３４に記憶させる（Ｓ２）。なお、前記ＣＰＵ３１が、定期的に前記サーバ装置１０から前記処方データを読み出して（Ｓ１のＹｅｓ側）、前記データ記憶部３４に記憶することも考えられる（Ｓ２）。
【００３７】
（ステップＳ３）
ステップＳ３において、前記ＣＰＵ３１は、前記薬品分包装置４０に医薬品の分包を指示する分包データの出力要求を待ち受ける（Ｓ３のＮｏ側）。前記分包データの出力要求は、例えば前記ＣＰＵ３１によって前記表示装置３７に表示される処方管理画面におけるユーザー操作に従って行われる。なお、前記分包データについては次のステップＳ４〜Ｓ５で説明する。
具体的に、ユーザーは、全ての病室（配薬グループ）或いは任意に選択した一又は複数の病室について、任意に選択した１日分又は複数日分の分包データの出力を要求するための操作を前記操作入力装置３４に対して行う。これにより、前記ＣＰＵ３１は、前記分包データの出力要求が行われたと判断する。そして、前記分包データの出力要求が行われた場合（Ｓ３のＹｅｓ側）、前記ＣＰＵ３１は、処理をステップＳ４に移行させる。
【００３８】
また、前記ステップＳ１〜Ｓ３に代えて、前記ＣＰＵ３１が、ユーザー操作に応じて前記サーバ装置１０から前記処方データを読み出して前記データ記憶部３４に記憶し、当該処方データを対象にステップＳ４以降の処理を実行することも考えられる。
例えば、ユーザーは、全ての病室或いは任意に選択した一又は複数の病室について、任意に選択した１日分又は複数日分の処方データを要求するための操作を前記操作入力装置３４に対して行う。これにより、前記ＣＰＵ３１は、前記ユーザー操作に応じた処方データを前記サーバ装置１０から読み出して前記データ記憶部３４に記憶する。そして、前記ＣＰＵ３１は、前記処方データについての分包データを出力するための処理を実行する（Ｓ４〜Ｓ６）。
【００３９】
（ステップＳ４）
ステップＳ４において、前記ＣＰＵ３１は、前記分包データの出力要求に含まれた患者各々の前記処方データを当該患者が属する病室単位で結合したグループ処方データを生成する。
ここに、図７は、前記グループ処方データの一例を模式的に示すものである。図７に示す前記グループ処方データでは、病室「さくら」、「かえで」ごとに属する複数の患者の処方データがグループ化されている。また、図７に示すグループ処方データは、当該ステップＳ４において、前記ＣＰＵ３１によって前記表示装置３７に表示される。
【００４０】
（ステップＳ５）
そして、前記ステップＳ５において、前記ＣＰＵ３１は、前記ステップＳ４で生成された前記グループ処方データに基づいて、前記処方データ各々を前記病室単位で同一服用時期ごとに分解した分包データを生成する。このように前記ステップＳ３〜Ｓ４を実行することにより前記分包データを生成するときの前記ＣＰＵ３１がデータ生成手段に相当する。
前記分包データは、前記薬品分包装置４０に、複数の患者に処方する医薬品を前記病室単位（配薬グループ単位）で同一服用時期ごとに分包することを指示するものである。
ここに、図８は、前記病室「さくら」、「かえで」に対応する前記分包データの一例を模式的に示すものである。以下、図８に示す前記分包データが前記ステップＳ５で生成された場合を適宜例に挙げて説明する。
図８に示す前記分包データでは、前記病室単位で、「さくら」、「かえで」各々に属する患者各々に処方された医薬品が服用時期ごとに並び替えられている。また、前記分包データには、服用時期に対応する医薬品が存在しない患者についてもその旨を示すデータ（空データ）が含まれている。
もちろん、前記分包データの内容は、前記薬品分包装置４０において、複数の患者に処方する医薬品が前記病室単位で同一服用時期ごとに分包されるものであればそのデータ構造は図８に示すものに限らない。
【００４１】
なお、前記ステップＳ４及び前記ステップＳ５の処理手順は順序が逆であってもよい。
即ち、前記ＣＰＵ３１は、前記ステップＳ４において、複数の患者の処方データを服用時期ごとに分解するデータ分解処理を実行する。例えば、前記処方データが、３日分の処方に関するデータであって、１日の服用時期が朝食後、昼食後、夕食後の３回である場合、前記ＣＰＵ３１は、前記処方データ各々を３日分×３回の９つの服用単位データに分解する。次に、前記ステップＳ５において、前記ＣＰＵ３１は、前記服用単位データを当該服用単位データに対応する患者が属する前記病室ごとに結合した分包データを生成する。このようにして前記分包データを生成するための処理を実行するときの前記ＣＰＵ３１もデータ生成手段の一例である。
【００４２】
（ステップＳ６）
そして、ステップＳ６において、前記ＣＰＵ３１は、前記通信ネットワーク６０を介して前記薬品分包装置４０に前記分包データを出力する。これにより、前記薬品分包装置４０では、前記分包データに従って複数の患者に処方する医薬品が前記病室単位で同一服用時期ごとに分包されることになる。
なお、前記分包データの出力は、前記通信ネットワーク６０を介するものに限らない。例えば、前記配薬管理装置３０が接続されたプリンタ等により前記分包データをバーコード又はＱＲコード（登録商標）などで示した分包情報を印刷出力することが考えられる。これにより、前記薬品分包装置４０では、前記印刷された用紙から前記分包情報をハーコードリーダー等によって読み取ることにより、前記分包データに従った分包動作を行うことが可能である。
【００４３】
［薬品分包処理］
以下、図９のフローチャートを参照しつつ、前記配薬管理システム１において、前記薬品分包装置４０の制御部４１が前記薬品分包プログラムに従って実行する薬品分包処理の手順の一例について説明する。なお、図示するＳ１１、Ｓ１２、…は前記ＣＰＵ４１が実行する処理手順（ステップ）番号を示す。
【００４４】
（ステップＳ１１）
まず、ステップＳ１１において、前記制御部４１は、前記分包データの入力を待ち受ける（Ｓ１１のＮｏ側）。そして、前記分包データが入力されたと判断すると（Ｓ１１のＹｅｓ側）、前記制御部４１は、処理をステップＳ１２に移行させ、前記分包データに従った分包動作を実行する。
【００４５】
（ステップＳ１２）
ステップＳ１２において、前記制御部４１は、前記分包データのうち一つ目の前記病室を分包対象として設定する。具体的に、図８に示した前記分包データが入力された場合、前記制御部４１は、初めの前記ステップＳ１２において、病室「さくら」を分包対象として設定する。そして、二回目以降に前記ステップＳ１２が実行された場合、前記制御部４１は二つ目以降の前記病室を順に分包対象として設定する。即ち、図８に示した前記分包データが入力された場合、前記制御部４１は、二回目の前記ステップＳ１２において、病室「かえで」を分包対象として設定する。
【００４６】
（ステップＳ１３）
ステップＳ１３において、前記制御部４１は、前記分包データのうち前記ステップＳ１２で分包対象として選択された前記病室に対応する一つ目の処方時期を分包対象として分包を開始する。具体的に、図８に示した前記分包データが入力された場合、前記制御部４１は、初めの前記ステップＳ１３において、病室「さくら」の「２月４日（土）朝食後」の服用時期を分包対象として分包を開始する。そして、二回目以降に前記ステップＳ１３が実行された場合、前記制御部４１は二つ目以降の前記服用時期について順に分包対象として分包を開始する。即ち、図８に示した前記分包データが入力された場合、前記制御部４１は、二回目の前記ステップＳ１３において、病室「さくら」の「２月４日（土）昼食後」の服用時期を分包対象として分包を開始する。一方、前記制御部４１は、四回目の前記ステップＳ１３において、病室「さくら」の「２月５日（土）朝食後」の服用時期を分包対象として分包を開始する。
【００４７】
（ステップＳ１４）
次に、ステップＳ１４において、前記制御部４１は、前記分包データに含まれたデータごとに当該服用時期に服用するべき医薬品が存在するか否かを順に判断する。そして、前記制御部４１は、当該データに服用時期に服用するべき医薬品が存在しない場合、即ち当該データが空データである場合（Ｓ１４のＮｏ側）、処理をステップＳ１４１に移行させる。一方、当該データに服用時期に服用するべき医薬品が存在している場合、即ち当該データが空データではない場合（Ｓ１４のＹｅｓ側）、処理をステップＳ１５に移行させる。
【００４８】
（ステップＳ１５）
ステップＳ１５において、前記制御部４１は、前記分包データに含まれた当該データについて通常の分包動作を実行する。具体的に、前記制御部４１は、前記分包ユニット４３の前記プリント部（不図示）により、前記薬包７１に患者名及び服用時期を印刷すると共に、前記薬包７１に当該患者に対応する医薬品を分包させる。
【００４９】
（ステップＳ１４１）
一方、ステップＳ１４１において、前記制御部４１は、当該服用時期に服用するべき医薬品が存在しない旨を、前記分包ユニット４３の前記プリント部（不図示）により印刷した空の前記薬包７１を分包に含める。具体的に、当該空の薬包７１には、患者名及び服用時期と共に「お薬はありません」を印刷することが考えられる。
このように、本実施の形態における前記分包データは、当該服用時期に服用するべき医薬品が存在しない場合に対応する空データを含むものであることにより、処方された医薬品が存在しない患者に対応する空の前記薬包７１を分包に含めると共に、当該薬包７１に処方する医薬品がない旨を記載することを指示するものとなっている。
【００５０】
（ステップＳ１６）
そして、ステップＳ１６において、前記制御部４１は、前記ステップＳ１３で開始された同一服用時期についての分包が終了したか否かを判断する。ここで、前記同一服用時期の分包が終了したと判断すると（Ｓ１６のＹｅｓ側）、前記制御部４１は処理をステップＳ１７に移行させる。一方、前記同一服用時期の分包が終了していないと判断すると（Ｓ１６のＮｏ側）、前記制御部４１は処理を前記ステップＳ１４に戻す。
【００５１】
（ステップＳ１７）
ステップＳ１７において、前記制御部４１は、前記ステップＳ１２で分包対象として設定された同一病室についての全服用時期の分包が終了したか否かを判断する。ここで、前記全服用時期の分包が終了したと判断すると（Ｓ１７のＹｅｓ側）、前記制御部４１は処理をステップＳ１８に移行させる。一方、前記全服用時期の分包が終了していないと判断すると（Ｓ１７のＮｏ側）、前記制御部４１は処理をステップＳ１７１に移行させる。
【００５２】
（ステップＳ１７１）
ステップＳ１７１において、前記制御部４１は、前記服用時期が切り替わるタイミングを明示するための分包の区切り処理を実行する。
例えば、前記区切り処理は、空の前記薬包７１を一つ設けることである。これにより、当該薬品分包処理による分包結果として得られる前記薬包連続体７２において服用時期の切り替わりのタイミングを容易に把握することができる。なお、空の前記薬包７１にはその前に連なっている各薬包の内容に関する検薬用、鑑査用の各種情報を印字してもよい。
また、前記区切り処理は、前記薬包連続体７２を一度切断することであってもよい。これにより、前記薬品分包装置４０において、自動的に服用時期ごとの前記薬包連続体７２を得ることができる。
なお、前記区切り処理を省略することも他の実施形態として考えられる。
【００５３】
（ステップＳ１８）
そして、ステップＳ１８では、前記分包データに含まれた全ての前記病室についての分包が終了したか否かを判断する。ここで、全病室の分包が終了したと判断すると（Ｓ１８のＹｅｓ側）、前記制御部４１は一連の当該薬品分包処理を終了して処理を前記ステップＳ１１に戻す。一方、全病室の分包が終了していないと判断すると（Ｓ１８のＮｏ側）、前記制御部４１は処理を前記ステップＳ１２に移行させ、次の病室についての分包動作を開始する。
【００５４】
ここに、図１０は、前記薬品分包処理による前記病室「さくら」についての分包結果として得られた前記薬包連続体７２の一例を模式的に示した図である。図１０に示すように、前記薬包連続体７２では、複数の患者が服用する医薬品が前記病室単位で同一処方時期ごとに連続して分包されている。
ここで、図１０に示す前記薬包連続体７２は、同一処方時期ごとに対応する薬包連続体７２Ａ〜７２Ｆの右端部及び左端部が連続したものである。例えば、図１０に示す前記薬包連続体７２では、２月４日（土）の朝食後、昼食後、夕食後、２月５日（日）の朝食後、昼食後、夕食後のそれぞれに対応する薬包連続体７２Ａ〜７２Ｆが空の薬包７１Ｂを介して連続している。具体的に、前記薬包連続体７２Ａでは、２月４日（土）の朝食後に服用するべき、湯山一郎、田中一郎、川田朝子、湯山二郎、山田花子、山中末子各々の医薬品が連続する前記薬包７１各々に分包されており、その後に前記空の薬包７１Ｂが含まれている。
なお、図１０に示すように、対象となる服用時期に服用すべき医薬品が存在する患者については、前記ステップＳ１５において、前記薬包７１に患者名及び服用時期が記載されている。一方、対象となる服用時期に服用すべき医薬品が存在しない患者については、前記ステップＳ１４１において、前記薬包７１に、患者名及び服用時期と共に「お薬はありません」が印刷されている。これにより、看護師等が前記病室単位で服用時期ごとに配薬する際に、服用する医薬品がない旨を明確に認識することができ、医薬品の紛失や分包ミスではないことが明確となる。
また、前記病室「かえで」についても同様に分包されており、前記病室「さくら」と前記病室「かえで」との前記薬包連続体７２の境目にも前記空の薬包７１Ｂが設けられる。
【００５５】
以上、説明したように、前記配薬管理システム１では、前記配薬管理装置３０から前記薬品分包装置４０に前記分包データが入力されることにより、前記薬品分包装置３０では、前記分包データに従って複数の患者に処方する医薬品が前記病室単位で同一服用時期ごとに分包される。
これにより、看護師等は前記病室単位で同一服用時期ごとに分包された前記薬包連続体７２（前記薬包連続体７２Ａ〜７２Ｆ）を用いてそのまま複数の患者に配薬することができ、前記病室各々に属する患者の医薬品を選別する作業を省略することができる。従って、病院及び老健施設などにおける看護師等の配薬作業の負担が軽減され、その配薬作業におけるミスも防止される。
【００５６】
［画像鑑査処理］
ところで、前記薬品分包装置４０で分包された後の前記薬包連続体７２では、複数の患者の医薬品が交互に収容されているため、その医薬品の適否を判断する鑑査作業の手間と困難性が増すことが考えられる。そこで、前記画像鑑査装置５０では、前記制御部５１により後述の画像鑑査処理が実行されることにより鑑査作業の負担を軽減している。
以下、図１１のフローチャートを参照しつつ、前記配薬管理システム１において、前記画像鑑査装置５０の制御部５１が前記画像鑑査プログラムに従って実行する画像鑑査処理の手順の一例について説明する。なお、図示するＳ２１、Ｓ２２、…は前記ＣＰＵ５１が実行する処理手順（ステップ）番号を示す。
【００５７】
（ステップＳ２１）
まず、ステップＳ２１において、前記制御部５１は、画像鑑査開始を待ち受ける（Ｓ２１のＹｅｓ側）。具体的に、前記制御部５１は、前記供給検知部５３４により前記薬包連続体７２の供給が検知されたことを条件に画像鑑査開始と判断する。そして、前記制御部５１は、画像鑑査開始と判断すると（Ｓ２１のＹｅｓ側）、処理をステップＳ２２に移行させる。もちろん、前記制御部５１による画像鑑査開始の判断は、前記画像鑑査装置５０における画像鑑査開始のユーザー操作の有無に応じて行われてもよい。
【００５８】
（ステップＳ２２）
ステップＳ２２において、前記制御部５１は、前記搬送部５３１による前記薬包連続体７２を所定量ずつ搬送させ、前記撮影部５３２により前記薬包連続体７２の薬包７１各々の画像を撮影する。
なお、前記撮影部５３２が前記薬包７１各々を表裏両面から撮影するものであることも他の実施例として考えられる。例えば、前記薬包連続体７２を搬送する前記搬送部５３１が前記薬包連続体７２の上端部のみを支持して搬送させる上端用丸ベルトと下端部のみを支持して搬送させる下端用丸ベルトとを備える構成が考えられる。この場合、前記薬包連続体７２において薬品の包装箇所の表裏両面からの撮影で前記搬送部５３１が障害にならない。そのため、前記薬包連続体７２の搬送経路上において前記薬包連続体７２の表面側及び裏面側それぞれに前記撮影部５３２を設けることにより、前記薬包７１各々を表裏両面から撮影することが可能となる。これにより、前記薬包７１の記載文字を消去するフィルタ処理などを高い精度で行うことができ、前記薬包７１各々に収容された医薬品の識別精度を高めることができる。また、前記薬包７１に収容された医薬品が重なっている場合でもその医薬品各々を識別することが可能となる。
【００５９】
（ステップＳ２３）
ステップＳ２３において、前記制御部５１は、全薬包についての画像撮影が終了したか否かを判断する。具体的に、前記制御部５１は、前記排出検知部５３５により前記薬包連続体７２の終端の通過が検知されたことを条件に全薬包についての画像撮影が終了したと判断する。ここで、前記制御部５１は、前記画像撮影が終了したと判断すると（Ｓ２３のＹｅｓ側）、処理をステップＳ２４に移行させ、前記画像撮影が終了するまでの間は（Ｓ２３のＮｏ側）、処理を前記ステップＳ２２に戻す。
【００６０】
（ステップＳ２４）
ステップＳ２４において、前記制御部５１は、前記ステップＳ２２で撮影された前記薬包７１各々の画像を患者単位で同一処方内容ごとに結合した鑑査用画像７４を生成するための画像処理を実行する。ここに、係る処理を実行するときの前記制御部５１が画像生成手段に相当する。
具体的に、前記制御部５１は、前記薬包７１各々に記載された患者名及び服用時期を文字認識技術（ＯＣＲ）により読み取り、その患者名及び服用時期に応じて前記薬包７１各々の画像を並び替えて結合する。また、前記制御部５１は、前記薬品分包装置４０から前記分包データを取得し、前記分包データに基づいて前記薬包７１各々に対応する患者名及び服用時期を知得し、前記ステップＳ２２で撮影された前記薬包７１各々の画像をその撮影順と対応付けて認識しておくことにより前記鑑査用画像７４を生成するものであることも考えられる。なお、前記ステップＳ２４において生成された前記鑑査用画像７４は、前記同一処方内容ごとに結合されたものではなく、単に患者単位で結合されたものであってもよい。
【００６１】
ここに、図１２は、前記ステップＳ２２で撮影された前記薬包７１各々の薬包画像７３を、患者単位で同一処方内容ごとに結合した前記鑑査用画像７４の一例を示す図である。図１２に示すように、前記鑑査用画像７４では、同一の患者に対応する前記薬包７１各々の薬包画像７３が同一処方内容ごとに連続している。具体的には、患者「湯山一郎」について２月４日〜６日の朝食後の処方内容が同一である場合、前記鑑査用画像７４では、患者「湯山一郎」の「２月４日（土）朝食後」、「２月５日（日）朝食後」、「２月６日（日）朝食後」という具合に同一服用時期ごとに前記薬包画像７３が連続している。そして、前記鑑査用画像７４では、その後も同様に、患者「湯山一郎」の次の処方内容「２月４日（土）昼食後」以降について前記薬包画像７３が連続している。また、他の患者についても同様に前記鑑査用画像７４が生成される。
【００６２】
（ステップＳ２５）
そして、ステップＳ２５において、前記制御部５１は、前記ステップＳ２４で生成された前記鑑査用画像７４と前記処方データとに基づいて前記薬包７１各々に分包された医薬品の自動照合を行う。なお、前記制御部５１は、前記サーバ装置１０、前記電子カルテ装置２０、前記配薬管理装置３０、又は前記薬品分包装置４０から前記処方データを取得する。
具体的に、前記ステップＳ２５において、前記制御部５１は、前記鑑査用画像７４に含まれた前記薬包画像７３各々に基づいて、前記薬包画像７３各々に対応する患者名及び服用時期と前記薬包画像７３各々に収容された医薬品の種別及び数とを認識する。なお、係る処理は従来の画像鑑査装置と同様の画像認識技術を採用すればよい。そして、前記制御部５１は、前記薬包画像７３各々に対応する患者名及び服用時期と前記薬包画像７３各々に収容された医薬品の種別及び数との組み合わせが、前記処方データに記録されたデータと一致するか否かを照合する。
【００６３】
（ステップＳ２６）
その後、ステップＳ２６において、前記制御部５１は、前記ステップＳ２４で生成された前記鑑査用画像７４及び前記ステップＳ２５における照合結果を前記表示部５２に表示させる。これにより、鑑査者は、前記表示部５２の表示を参照することにより、前記薬品分包装置４０で分包された医薬品の鑑査を行うことや前記照合結果を把握することができ、間違えのない配薬を実行することができる。
【００６４】
ところで、前記制御部５１が前記ステップＳ２５における自動照合を実行しない構成も考えられる。即ち、前記制御部５１は、前記ステップＳ２５の処理を省略し、前記ステップＳ２６において、前記鑑査用画像７４を前記表示部５２に表示させることが考えられる。これにより、鑑査者は、前記表示部５２に表示された前記鑑査用画像７４を参照しながら前記薬包７１各々に収容された医薬品の適否に関する鑑査を行うことができる。このとき、前記鑑査用画像７４では、患者単位で同一処方内容ごとに前記薬包画像７３が並べられているため、前記撮影部５３２において前記薬包連続体７２における前記薬包７１の順番（図１０参照）で撮影された前記薬包画像７３各々についてそのまま鑑査する場合に比べて、鑑査者による医薬品の鑑査の手間が著しく軽減される。
なお、前記制御部５１は、前記薬包画像７３各々を患者単位で同一処方内容ごとに結合して前記鑑査用画像７４を生成するものに限らず、例えば前記薬包画像７３各々を患者単位で同一処方内容ごとに連続して順に前記表示部５２に表示させるものであることも考えられる。
【００６５】
［他の実施形態］
前記実施の形態で説明した前記薬品分包装置４０は、前記薬包シート４３１を用いて前記薬包７１各々に医薬品を分包するものであったが他の例も考えられる。具体的に、前記薬品分包装置４０は、ブリスターパックに設けられた複数の包装部に医薬品を分包するものであることが考えられる。以下、前記薬品分包装置４０からブリスターパックを用いた分包装置である場合について説明する。なお、前記ブリスターパックを用いて分包技術については、例えば特開平７−１０１０３号公報などに開示されている。
ここに、前記ブリスターパックとは、一面が開放された包装領域を複数有する包装部材を平板状の部材に接合することにより閉鎖された複数の包装部が形成される収容部材である。また、前記ブリスターパックでは、前記包装部各々を容易に切り離すための切り取り点線（ミシン目）が形成されている。
このように前記薬品分包装置４０が構成されている場合、前記配薬管理装置３０が出力する前記分包データは、複数の患者に処方する医薬品を前記病室単位で同一服用時期ごとに一つの前記ブリスターパックに分包させるものであることが考えられる。この場合、前記薬品分包装置４０は、前記分包データに従って、複数の患者に処方する医薬品を前記病室単位で同一服用時期ごとに一つの前記ブリスターパックに分包させることになる。
【００６６】
ここに、図１３は、前記病室「さくら」についての分包結果として得られた前記ブリスターパック７５の一例を模式的に示した図である。図１３に示すように、前記ブリスターパック７５では、複数の患者が服用する医薬品が前記病室単位で同一処方時期ごとに一纏めに分包されている。
具体的に、図１３（Ａ）に示す前記ブリスターパック７５では、前記病室「さくら」について、２月４日（土）の朝食後に服用するべき湯山一郎、田中一郎、川田朝子、湯山二郎、山田花子、山中末子各々の医薬品が包装部７６各々に分包されている。また、図１３（Ｂ）に示す前記ブリスターパック７５では、前記病室「さくら」について、２月４日（土）の昼食後に服用するべき湯山一郎、田中一郎、川田朝子、湯山二郎、山田花子、山中末子各々の医薬品が包装部７６各々に分包されている。なお、前記ブリスターパック７５では、当該ブリスターパック７５に形成された切り取り点線７５Ａにより前記包装部７６各々を容易に切り離すことが可能である。
【００６７】
また、前記薬品分包装置４０では、前記ブリスターパック７５において、対象となる服用時期に服用すべき医薬品が存在する患者については、前記包装部７６各々に患者名が記載される。一方、対象となる服用時期に服用すべき医薬品が存在しない患者については、空の前記包装部７６が設けられると共に、当該包装部７６に患者名と共に「お薬はありません」が印刷される。これにより、看護師等が前記病室単位で服用時期ごとに配薬する際に、服用する医薬品がない旨を明確に認識することができ、医薬品の紛失や分包ミスではないことが明確となる。このように、本実施の形態における前記分包データは、当該服用時期に服用するべき医薬品が存在しない場合に対応する空データを含むものであることにより、処方された医薬品が存在しない患者に対応する空の前記包装部７６を分包に含めると共に、当該薬包７１に処方する医薬品がない旨を記載することを指示するものとなっている。
以上説明したように構成された前記薬品分包装置４０によっても、看護師等は前記病室単位で同一服用時期ごとに分包された前記ブリスターパック７５を用いてそのまま複数の患者に配薬することができ、前記病室各々に属する患者の医薬品を選別する作業を省略することができる。従って、病院及び老健施設などにおける看護師等の配薬作業の負担が大幅に軽減されると共にその配薬作業におけるミスが防止される。
【００６８】
ところで、前記薬品分包装置４０は、予め前記錠剤カセット４２１に収容された医薬品の他に、例えば不図示の散薬分包装置などにおいて分包紙で分包された散薬を、前記ブリスターパック７５に錠剤と共に分包する手撒きユニットを備えることが考えられる。この場合、前記制御部４１は、前記分包データに従って前記手撒きユニットにおいて前記散薬を収容するべき前記包装部７６を表示部に表示させる。そして、前記分包ユニット４３では、前記分包データに従って前記錠剤カセット４２１に収容された錠剤と共に前記手撒きユニットに供給された散薬を前記ブリスターパック７５の前記包装部７６に分包する。これにより、前記薬品分包装置４０では、複数の患者に処方する錠剤及び散薬を共に、前記病室単位で同一服用時期ごとに前記ブリスターパック７５の包装部７６各々に収容することができる。
【符号の説明】
【００６９】
１  ：配薬管理システム
１０：サーバ装置
２０：電子カルテ装置
３０：配薬管理装置
３１：ＣＰＵ
３２：ＲＯＭ
３３：ＲＡＭ
３４：データ記憶部
３５：通信インターフェース
３６：操作入力装置
３７：表示装置
３８：バス
４０：薬品分包装置
４１：制御部
４２：医薬品収容部
４３：分包ユニット
５０：画像鑑査装置
５１：制御部
５２：表示部
５３：鑑査ユニット
６０：通信ネットワーク
Ｓ１、Ｓ２、…：処理手順（ステップ）番号
Ｓ１１、Ｓ１２、…：処理手順（ステップ）番号
Ｓ２１、Ｓ２２、…：処理手順（ステップ）番号
【図１】
0005962203.tif 000002
【図２】
0005962203.tif 000003
【図３】
0005962203.tif 000004
【図４】
0005962203.tif 000005
【図５】
0005962203.tif 000006
【図６】
0005962203.tif 000007
【図７】
0005962203.tif 000008
【図８】
0005962203.tif 000009
【図９】
0005962203.tif 000010
【図１０】
0005962203.tif 000011
【図１１】
0005962203.tif 000012
【図１２】
0005962203.tif 000013
【図１３】
0005962203.tif 000014